(57)【要約】      （修正有）【課題】従来の側溝蓋よりも大幅に薄型化・軽量化して、側溝内の清掃作業時などにおける蓋の着脱作業を容易にすると共に、既存の側溝に装着されている種々の厚さの側溝蓋と交換可能な種々の厚さのものを容易に製造できるようにする。【解決手段】四辺形状の板状をなすレジンコンクリート製の蓋本体の下面幅方向両端部に、棒状の脚部４を長さ方向に向けて固定手段により固定する。本体５が引張強度に優れるレジンコンクリート製であるため、蓋本体を薄く形成でき、薄型化、軽量化が可能となり、適宜高さの脚部により、既存の側溝蓋の厚さに合わせることができる。また、側溝又は桝の本体の蓋受部８の上に嵩上げ部を形成し、レジンコンクリート製の薄型化、軽量化された蓋を装着することもできる。【選択図】図５
0003108053.tif 000002
【実用新案登録請求の範囲】
【請求項１】
四辺形状の板状をなすレジンコンクリート製の本体の下面幅方向両端部に、棒状の脚部を長さ方向に向けて固定手段により固定してなることを特徴とする側溝・桝用蓋。
【請求項２】
請求項１に記載の蓋において、前記本体が幅方向に形成され表裏貫通する複数のスリットを有することを特徴とする側溝・桝用蓋。
【請求項３】
請求項１又は２に記載の蓋において、前記脚部がレジンコンクリート製又はＦＲＰ製の角パイプであることを特徴とする側溝・桝用蓋。
【請求項４】
蓋受部の上に、上面が水平の蓋受面となっている嵩上げ部を設けた側溝本体と、四辺形状の板状をなし、前記側溝本体に被せて前記蓋受面で支持されるレジンコンクリート製の蓋とからなることを特徴とする側溝。
【請求項５】
請求項４の側溝において、前記嵩上げ部が、レジンコンクリート製又はＦＲＰ製の角パイプであることを特徴とする側溝。
【請求項６】
蓋受部の上に、上面が水平の蓋受面となっている嵩上げ部を設けた桝本体と、四辺形状の板状をなし、前記桝本体に被せて前記蓋受面で支持されるレジンコンクリート製の蓋とからなることを特徴とする桝。
【請求項７】
請求項６の桝において、前記嵩上げ部が、レジンコンクリート製又はＦＲＰ製の角パイプであることを特徴とする桝。
【考案の詳細な説明】
【技術分野】
【０００１】
本考案は道路側部に沿って、又は道路を横断して埋設設置される側溝本体や桝本体に被せて上部開口を塞ぐ側溝・桝用の蓋に関する。
【背景技術】
【０００２】
図８は従来の最も一般的な側溝本体５と、これに装着した蓋９である。側溝本体５はコンクリート製で、対向する両側壁６、６とその下部を一体に連結する底板７により断面がＵ字状に形成された、いわゆるＵ字溝である。両側壁６、６の上部内側は段状に切り欠かれ、その切り欠かれた部分の水平面が蓋を支持する蓋受部８となっている。蓋９はコンクリート製で四辺形の板状である。蓋９の厚さは、例えば側溝本体の有効幅が３００ｍｍの場合、１００ｍｍ程度であり、その重さは４５ｋｇ程度であった。したがって、蓋はかなり重いものであり、側溝内の清掃作業をする場合などにおいて、蓋を着脱する作業が困難を極めていた。
【考案の開示】
【考案が解決しようとする課題】
【０００３】
本考案は、従来の側溝・桝用の蓋よりも大幅に薄型化・軽量化して、側溝や桝内の清掃作業時などにおける蓋の着脱作業を容易にすると共に、既存の側溝本体や桝本体に装着されている種々の幅／厚さの蓋と交換可能な種々の幅／厚さのものを容易に製造できるようにすることを課題としてなされたものである。
【課題を解決するための手段】
【０００４】
本考案は、四辺形状の板状をなすレジンコンクリート製の本体の下面幅方向両端部に、棒状の脚部を長さ方向に向けて固定手段により固定してなることを特徴とする側溝・桝用蓋である。本体が引張強度に優れるレジンコンクリート製であるため、必要な曲げ強度を得るための本体の厚さが薄くてよく、薄型化、軽量化が可能となる。
【０００５】
既存の側溝や桝の本体に対して、蓋を装着しようとする場合、既存のコンクリート製の蓋と厚さを同じにしなければならないが、本体の下面幅方向両端部に、棒状の脚部を長さ方向に向けて固定することで、本体を薄く形成でき、薄型化、軽量化が可能となる。また、既存の厚さや幅が種々である蓋に対して、幅に合わせた必要な厚さの本体を予め成形しておき、これに適宜な高さの脚部を固定することで対応できるので、本体を成形する型枠が必要最低限で済み、低コストで製造可能となる。
【０００６】
本体に、幅方向の表裏貫通する複数のスリットを形成することができる。これは、本体が引張強度に優れるレジンコンクリート製であるため、スリットを形成しても必要な曲げ強度を得ることができるからである。複数のスリットを設けることで、降雨時における集水能力（道路上の雨水を側溝内に集める能力）が格段に向上し、高価なグレーチングを必要としなくなる。
【０００７】
脚部は断面が四角形状の棒状材、中空の角パイプ、断面がコ字状の棒状材などを用いることができる。レジンコンクリート製の角パイプ、断面がコ字状の棒状材にすると、中空であるために重量を低減できる。ＦＲＰ（繊維補強プラスチック）製の角パイプとすると、更に重量を低減でき、また、押し出し成形により安価かつ容易に製造することができる。
【０００８】
脚部を本体に固定する固定手段は任意であるが、接着剤による接着とするのが最も製造容易な手段である。また、本体下面にインサートナットを埋設しておき、これにボルトを螺着して脚部を固定することもできる。
【０００９】
また本考案は、蓋受部の上に、上面が水平の蓋受面となっている嵩上げ部を設けた側溝本体と、四辺形状の板状をなし、前記側溝本体に被せて前記蓋受面で支持されるレジンコンクリート製の蓋とからなることを特徴とする側溝である。
【００１０】
本考案の側溝は、既存の側溝本体の蓋受部に嵩上げ部を設けることで、レジンコンクリート製の薄く軽量の蓋を装着することが可能となる。ここにおいて蓋受部とは、側溝本体の対向する側壁上部内側に設けた切欠部分において、従来のコンクリート製の厚い蓋を支持する部分である。嵩上げ部は断面が四角形状の棒状材、中空の角パイプ、断面がコ字状の棒状材などを用いることができる。レジンコンクリート製の角パイプ、断面がコ字状の棒状材にすると、中空であるために重量を低減できる。ＦＲＰ（繊維補強プラスチック）製の角パイプとすると、更に重量を低減でき、また、押し出し成形により安価かつ容易に製造することができる。これらの嵩上げ部は、接着剤で蓋受部に固定したり、蓋受部に埋め込んだインサートにボルトで螺着するなどして取り付けることができる。また、嵩上げ部は現場打コンクリートで形成することも可能である。
【００１１】
また本考案は、蓋受部の上に、上面が水平の蓋受面となっている嵩上げ部を設けた桝本体と、四辺形状の板状をなし、前記桝本体に被せて前記蓋受面で支持されるレジンコンクリート製の蓋とからなることを特徴とする桝である。
【００１２】
本考案の桝は、既存の桝本体の蓋受部に嵩上げ部を設けることで、レジンコンクリート製の薄く軽量の蓋を装着することが可能となる。ここにおいて蓋受部とは、桝本体の周壁上部内側に設けた切欠部分において、従来のコンクリート製の厚い蓋を支持する部分である。嵩上げ部は断面が四角形状の棒状材、中空の角パイプ、断面がコ字状の棒状材などを用いることができる。レジンコンクリート製の角パイプ、断面がコ字状の棒状材にすると、中空であるために重量を低減できる。ＦＲＰ（繊維補強プラスチック）製の角パイプとすると、更に重量を低減でき、また、押し出し成形により安価かつ容易に製造することができる。これらの嵩上げ部は、接着剤で蓋受部に固定したり、蓋受部に埋め込んだインサートにボルトで螺着するなどして取り付けることができる。また、嵩上げ部は現場打コンクリートで形成することも可能である。
【考案の効果】
【００１３】
本考案の側溝・桝用蓋は、従来の蓋と比較して厚さ、重量をそれぞれ２分の１程度にすることができ、側溝や桝内の清掃作業時などにおける蓋の着脱作業を容易にすることができる。また、本体の厚さを一定にして、脚部の高さで厚さを調整できるので、既存の側溝や桝の本体に装着されている種々の厚さの蓋と交換可能な種々の厚さ（本体＋脚部の厚さ）のものを安価かつ容易に製造できる。
【００１４】
また本考案の側溝及び桝は、既存の側溝本体又は桝本体の蓋受部に嵩上げ部を設けるという簡単な工事で、従来の蓋と比較して厚さ、重量をそれぞれ２分の１程度の薄く軽量な蓋を装着することができ、側溝や桝内の清掃作業時などにおける蓋の着脱作業を容易にすることができる。
【実施例】
【００１５】
以下、実施例を表した図面に基づいて本考案を詳細に説明する。図１は実施例の側溝・桝用蓋１の平面図、図２は蓋１の底面図、図３は図１におけるＡＡ線断面図、図４は図１におけるＢＢ線断面図、図５は蓋１の使用状態の断面図、図６は実施例の側溝・桝用蓋１０の部分断面図、図７は実施例の側溝・桝用蓋２０の部分断面図である。
【００１６】
蓋１は本体１ａと脚部４からなる。本体１ａはレジンコンクリート製で、平面形状が四辺形状の板状をなし、内部には適宜量の鉄筋が配置され、補強されている。厚さは溝幅に応じた強度に必要充分な厚みを設ける。表裏貫通する幅方向のスリット２が長さ方向に複数並べて設けられている。また、長さ方向の両端には切欠部３が設けられている。切欠部３の形状はスリット２を縦に半割した形状である。各スリット及び切欠部の間隔は等しくなっているので、複数の蓋１を連続して設置した場合、スリットが一定間隔で連続して設けられているように見え、意匠的に優れたものとなる。なお、蓋を連続して設置しない場合（桝に装着する場合）においては、切欠部３は不要である。
【００１７】
脚部４はレジンコンクリート製の角パイプで、本体下面の幅方向両端部に接着剤により接着固定されている。脚部４の高さは約４０ｍｍで、蓋全体の厚さは１００ｍｍとなっている。脚部４の長さは本体１ａの長さよりも若干短いが、本体のほぼ全長にわたって設けられている。蓋１の重量は従来の厚さ１００ｍｍの蓋のほぼ半分である。
【００１８】
図５は図８の既存の側溝本体５に対し、従来の蓋９に代えて実施例の蓋１を装着した状態を示している。このように、本考案の蓋１は既存の側溝や桝の本体に、既存の蓋９に代えて装着することができる。
【００１９】
図６に示す蓋１０は、本体１０ａと脚部１１からなる。本体１０ａは、底面に、片側２カ所ずつインサートナット１２が埋設されている他は、前記実施例の本体１ａと全く同じ構成である。脚部１１は断面がコ字状をなすレジンコンクリート製の棒状体で、インサートナット１２に対応する位置にボルト穴を設け、ボルト１３により本体１０ａの底面に固定している。なお、コ字状の棒状体は、図６に示す場合と上下逆にして、接着により本体１０ａに固定することもできる。
【００２０】
図７に示す蓋２０は、本体２０ａと脚部２１からなる。本体２０ａは、前記実施例の本体１ａと全く同じ構成である。脚部２１は断面が四辺形をなすレジンコンクリート製の棒状体で、接着剤によって本体２０ａの底面に接着固定されている。
【００２１】
図９は実施例の側溝３０の断面図である。側溝３０は、側溝本体５とレジンコンクリート製の蓋３２とからなる。側溝本体５は、図８に示す側溝本体の、側壁６上部の蓋受部８に、嵩上げ部３１を設けたものである。嵩上げ部３１はレジンコンクリート製の角パイプで、接着剤により蓋受部８に接着固定され、上面が水平な蓋受面となっている。高さは約６０ｍｍである。蓋３２の厚さは約６０ｍｍで、従来のコンクリート製の厚さ約１００ｍｍの蓋に代わるものである。
【００２２】
図１０は従来の側溝の断面図、図１１は実施例の側溝４０の断面図である。図１０の側溝は、側溝本体４１と蓋４５からなり、側溝本体の蓋受部４２は水平面ではなく、曲面となっている。蓋４５はコンクリート製で、厚さ約１００ｍｍである。図１１の側溝４０は側溝本体４１と蓋４４からなる。側溝本体４１は、図１０の側溝本体４１の蓋受部４２の上に嵩上げ部４３を設けたものである。嵩上げ部４３は現場打コンクリートで、上面が水平な蓋受面となるように施工する。このように、蓋受部が水平面でない場合は、嵩上げ部を現場打コンクリートで設けるのが簡便である。蓋４４は厚さ約６０ｍｍのレジンコンクリート製である。
【００２３】
図１２は実施例の桝５０の断面図である。この桝は側溝に接続して設ける側溝桝で、桝本体５１と蓋５８からなる。桝本体５１はコンクリート製で、周壁５２と底板５３により有底の四角筒状に一体成形されている。対向する周壁の上部には水平な蓋受部５４が形成されている。周壁５２の下部には下水管に接続する排出管５７を設けている。また、周壁５２の上部には、側溝に接続し、側溝を流れる水を桝内部に流入させるための流入孔５６を設けている。側溝内を流れてきた水は流入孔５６から桝内に流入し、さらに接続管５７から下水管に流出する。なお、底板をポーラスコンクリートとしたり、底板を設けずに、水を土中に浸透させるようにすることもできる。従来は、蓋受部５４の上にコンクリート製の厚さ約１００ｍｍの蓋を装着していた。
【００２４】
本考案の実施例においては、蓋受部５４の上に嵩上げ部５５を設けている。嵩上げ部５５は断面がコ字状をなすレジンコンクリート製の棒状材で、上面が水平な蓋受面となっている。蓋５８は厚さ約６０ｍｍのレジンコンクリート製である。
【産業上の利用可能性】
【００２５】
本考案の蓋は、Ｕ字溝に限らず、断面が門形のいわゆる可変勾配側溝など、あらゆる側溝の本体に装着できる。また、側溝に併設する桝本体など、種々の用途の桝に装着することも可能である。本考案の側溝も、Ｕ字溝に限らず、断面が門形のいわゆる可変勾配側溝など、あらゆる側溝とすることができる。本考案の桝は、側溝桝に限らず、雨水桝など、あらゆる用途の桝とすることができる。
【図面の簡単な説明】
【００２６】
【図１】実施例の蓋１の平面図である。
【図２】蓋１の底面図である。
【図３】図１におけるＡＡ線断面図である。
【図４】図１におけるＢＢ線断面図である。
【図５】蓋１の使用状態の断面図である。
【図６】実施例の蓋１０の部分断面図である。
【図７】実施例の蓋２０の部分断面図である。
【図８】従来の蓋９の使用状態の断面図である。
【図９】実施例の側溝３０の断面図である。
【図１０】従来の側溝の断面図である。
【図１１】実施例の側溝４０の断面図である。
【図１２】実施例の桝５０の断面図である。
【符号の説明】
【００２７】
１  蓋
２  スリット
３  切欠部
４  脚部
５  側溝本体
６  側壁
７  底板
８  蓋受部
９  蓋
１０  蓋
１１  脚部
１２  インサートナット
１３  ボルト
２０  蓋
２１  脚部
３０  側溝
３１  嵩上げ部
３２  蓋
４０  側溝
４１  側溝本体
４２  蓋受部
４３  嵩上げ部
４４  蓋
４５  蓋
５０  桝
５１  桝本体
５２  周壁
５３  底板
５４  蓋受部
５５  嵩上げ部
５６  流入孔
５７  排出管
５８  蓋
【図１】
0003108053.tif 000003
【図２】
0003108053.tif 000004
【図３】
0003108053.tif 000005
【図４】
0003108053.tif 000006
【図５】
0003108053.tif 000007
【図６】
0003108053.tif 000008
【図７】
0003108053.tif 000009
【図８】
0003108053.tif 000010
【図９】
0003108053.tif 000011
【図１０】
0003108053.tif 000012
【図１１】
0003108053.tif 000013
【図１２】
0003108053.tif 000014